(57)【要約】【課題】従来の鉤ホックは、鉤片を門型受止具や複数の受け止め箇所を有する長手形状の受止具と係合させるのが通常であったが、この場合、一旦縫着した鉤片の位置によって受止具との係合位置が決められるために、ウエスト幅の調整を容易にできないという問題があった。【解決手段】本考案は、ウエスト部の前合わせ箇所のうち、内側生地の外面に横長凸状に形成された伸縮調節鉤ホック１を縫着し、外側生地の内面に受止具４の受け主体が位置するように縫着して係合させ、着用者のウエストの移動にそって鉤ホック自体も共に移動可能になる伸縮調整鉤ホックを提供するものである。【選択図】図１
0003129255.tif 000002
【実用新案登録請求の範囲】
【請求項１】
圧縮バネの上下のバネ材の間に先端部を挿通して一端を係止する止め片２２を一体成形したバネ収容溝２１と該バネ収容溝２１の両側端部に延設する摺動用レール２３とからなる横長凸状に形成された基体本体の両端部に縫着固定用の取付部２４を取り付けてなる鉤ホック基体２と、
前記鉤ホック基体２３の止め片２２に圧縮バネ３１を固定した後に前記摺動レール２３にそってレール覆縁３５を嵌合させて一体化する鉤ホック主体３とからなる伸縮調整鉤ホック１と、
先端部側にウエスト帯に縫着する複数の縫着孔４２と他端部側を逆コの字状に折り曲げた係止部４１とを有する受止具４とからなる伸縮調整鉤ホックであって、
前記伸縮調整鉤ホック１と受止具４との係止時において、着用者のウエスト幅の移動に伴って受止具４が鉤ホック主体３の上面に設置されている鉤片３３に係止されながら突片３４で圧縮バネ３１を圧縮させることを特徴とするスカート等のウエストサイズ調整用の伸縮調整鉤ホック。
【請求項２】
圧縮バネの上下のバネ材の間に先端部を挿通して一端を係止する止め片２２を一体成形したバネ収容溝２１と該バネ収容溝２１の両側端部に延設する摺動用レール２３とからなる横長凸状に形成された基体本体の端部に固定用のバックル部６３をウエスト部の内側生地Ａに逢着した帯体Ｃに取り付けてなる鉤ホック基体２と、
前記鉤ホック基体２３の止め片２２に圧縮バネ３１を固定した後に前記摺動レール２３にそってレール覆縁３５を嵌合させて一体化する鉤ホック主体３とからなる伸縮調整鉤ホック１と、
先端部側にウエスト帯に縫着する複数の縫着孔４２と他端部側を逆コの字状に折り曲げた係止部４１とを有する受止具４とからなる伸縮調整鉤ホックであって、
前記伸縮調整鉤ホック１と受止具４との係止時において、着用者の外側生地Ｂと内側生地Ａとからなるウエスト幅の移動に伴って、受止具４が鉤ホック主体３の上面に設置されている鉤片３３に係止されながら突片３４で圧縮バネ３１を圧縮させて移動されると同時に、内側生地の移動のみによってバックル部６３に固定されている基体本体自体も二重に移動されることを特徴とするスカート等のウエストサイズ調整用の伸縮調整鉤ホック。
【考案の詳細な説明】
【技術分野】
【０００１】
本考案は、スカート等のウエスト部の調整に用いられる調節鉤ホックに関し、更に詳しくは、一旦、係止したウエスト幅を移動することなく、食後や椅子への着席時等に簡易に移動可能な調節鉤ホックを提供するものである。
【背景技術】
【０００２】
従来、スカート等のウエスト部における鉤ホックとしては、舌状の折り返し部を有する鉤片と、逆コの字状を有する受止具とをそれぞれウエスト部の前合わせ箇所に縫着して、相互に掛け合わせして使用している。
【０００３】
この場合には、食事における満腹時にはウエスト幅がきつくなり、或いは椅子に座って作業中にきつく感ずる時などは、前記鉤ホックの係合を外してしまう為、外見上は見苦しいものとなっていた。
【０００４】
このためウエスト幅の移動を用意にするものとして、長手形状の受止具として、受止具本体上に３箇所程の受止部を設けて、鉤片をそれぞれの受止部で係合が可能な鉤ホックも知られている。
【０００５】
しかしながら上記の鉤ホックは、鉤片の縫着位置によって受止具との係合位置が決められるために、ウエスト幅の調整を容易にできないという欠点があった。
【０００６】
また一旦係合させた場合は、鉤片の舌状部の幅（約１ｃｍ前後）しか移動が制限されるために、係合後の移動幅も小さいものであった。
【０００７】
このためこれらの欠点を解決するものとして、特開２００１−８７０１０号「調整用鉤ホック」に示されるように、ウエスト帯Ｗの打ち合わせ部の外面生地Ａの内面にバネの伸縮で移動する可動鉤ホック１を、内側生地Ｂの外面に受止具４をそれぞれ縫着固定して、可動鉤ホック１の鉤片３３を受止具４に係止させる鉤ホックが開示されている。
【特許文献１】特開２００１−８７０１０号公報
【考案の開示】
【考案が解決しようとする課題】
【０００８】
上記調整用鉤ホックによって、係止時のホックの移動幅は従来の鉤ホックに比べて大幅に拡がったが、例えば女子学生服のように同一サイズのスカートでも着用者の腰幅によっては、さらに係止時におけるウエストの移動幅がより大きな鉤ホックの開発が望まれていた。
【０００９】
或いは、鉤フック自体が自由に移動でき、任意の箇所で固定した後に係止が可能な新規の鉤フックの開発が望まれていた。
【課題を解決するための手段】
【００１０】
本考案者は、係る課題を解決するために鋭意研究したところ、ウエスト部の前合わせ箇所のうち、内側生地の外面に横長凸状に形成された伸縮調整鉤ホック１を縫着し、外側生地の内面に受止具２の受け主体が位置するように縫着して係合させ、着用者のウエストの移動にそって鉤ホック自体も共に移動可能になる伸縮調整鉤ホックを提供するものである。
【００１１】
すなわち本考案の第１考案は、圧縮バネの上下のバネ材の間に先端部を挿通して一端を係止する止め片２２を一体成形したバネ収容溝２１と該バネ収容溝２１の両側端部に延設する摺動用レール２３とからなる横長凸状に形成された基体本体の両端部に縫着固定用の取付部２４を取り付けてなる鉤ホック基体２と、
前記鉤ホック基体２３の止め片２２に圧縮バネ３１を固定した後に前記摺動レール２３にそってレール覆縁３５を嵌合させて一体化する鉤ホック主体３とからなる伸縮調整鉤ホック１と、
先端部側にウエスト帯に縫着する複数の縫着孔４２と他端部側を逆コの字状に折り曲げた係止部４１とを有する受止具４とからなる伸縮調整鉤ホックであって、
前記伸縮調整鉤ホック１と受止具４との係止時において、着用者のウエスト幅の移動に伴って受止具４が鉤ホック主体３の上面に設置されている鉤片３３に係止されながら突片３４で圧縮バネ３１を圧縮させることを特徴とするスカート等のウエストサイズ調整用の伸縮調整鉤ホックである。
【００１２】
本考案の第２考案は、圧縮バネの上下のバネ材の間に先端部を挿通して一端を係止する止め片２２を一体成形したバネ収容溝２１と該バネ収容溝２１の両側端部に延設する摺動用レール２３とからなる横長凸状に形成された基体本体の端部に固定用のバックル部６３をウエスト部の内側生地Ａに逢着した帯体Ｃに取り付けてなる鉤ホック基体２と、
前記鉤ホック基体２３の止め片２２に圧縮バネ３１を固定した後に前記摺動レール２３にそってレール覆縁３５を嵌合させて一体化する鉤ホック主体３とからなる伸縮調整鉤ホック１と、
先端部側にウエスト帯に縫着する複数の縫着孔４２と他端部側を逆コの字状に折り曲げた係止部４１とを有する受止具４とからなる伸縮調整鉤ホックであって、
前記伸縮調整鉤ホック１と受止具４との係止時において、着用者の外側生地Ｂと内側生地Ａとからなるウエスト幅の移動に伴って、受止具４が鉤ホック主体３の上面に設置されている鉤片３３に係止されながら突片３４で圧縮バネ３１を圧縮させて移動されると同時に、内側生地の移動のみによってバックル部６３に固定されている基体本体自体も二重に移動されることを特徴とするスカート等のウエストサイズ調整用の伸縮調整鉤ホックである。
【考案の効果】
【００１３】
上述のように本考案の伸縮調整鉤ホックは、着用者の腹の膨れ状況にそって鉤ホック基体も動くことから、自然と鉤ホック基体の移動が簡易になされるものである。
【００１４】
さらにバックル付伸縮調整鉤ホックは、バックルを取り付けるための帯体Ｃを別途ウエスト部の内側生地Ａの外面に縫着するだけでよいため縫着時の手間もかからず、着用者にとってもウエスト幅を容易に変えうることができるため、従来のようにウエスト幅で制限されていた顧客にも購買時の選択幅を提供するものである。
【００１５】
なお、上記バックルを固定した基体本体を帯体Ｃに取付ける場合には、伸縮調整鉤ホック１と受止具４との係止時において、着用者の外側生地Ｂと内側生地Ａとからなるウエスト幅の移動に伴って、受止具４が鉤ホック主体３の上面に設置されている鉤片３３に係止されながら突片３４で圧縮バネ３１を圧縮させて移動されると同時に、内側生地の移動のみによってバックル部６３に固定されている基体本体自体も二重に移動されるために、よりウエストの伸縮によってウエストサイズの調整が容易にできるようになっている。
【考案を実施するための最良の形態】
【００１６】
本考案の第一の形態は、図１〜図５に示すようにバネ材を利用して移動が用意にできる伸縮調整鉤ホックを提供するものである。
【００１７】
図１は、伸縮調整鉤ホック１の分解状体を示す斜視図であるが、部品として、ウエスト部の内側生地の外面に縫着する伸縮調整鉤ホック１と、外側生地の内面に縫着する受止具４とから構成されている。
【００１８】
前記伸縮調整鉤ホック１は、図２及び図３に示されるように、鉤ホック基体２の内面に設けられた止め弁２に収縮コイルバネを使用する圧縮バネ３１の右端を嵌合固定し、次いで掛け用隙間３２を設けた鉤片３３を有するホック基板３６を前記鉤ホック基体２の摺動用レール２３に沿って移動させて嵌合する。
【００１９】
鉤ホック基体２上に嵌合された鉤ホック主体３は、図２及び図４の断面図に示されるように収縮コイルバネ３１の右端が止め弁２２で固定され、一方、圧縮バネ３１の左端はホック基板３６の左側面に設けられた突片３４に接する構造となっている。
【００２０】
図５は、ウエスト部の内側生地Ａの外面に縫着する伸縮調整鉤ホック１と、外側生地Ｂの内面に縫着する受止具４の断面を示す断面図であるが、本実施例では先に伸縮調整鉤ホック１をウエスト部の内側生地Ａの外面に縫着し、次いで、受止具４の係止部４１が、鉤片３３の下の掛け用隙間３２に嵌合できる位置に縫着孔４２を合わせて縫着する。
【００２１】
これらの係止により、一旦係止した後は着用者の腹部の膨れ具合に沿ってウエスト部の内側生地Ａ自体も外方向に膨れるために、受止具４の係止部４１を中心に、鉤片３３を介してホック基板３６及び突片３４が右方向に伸縮コイルバネを押しながら移動する。
【００２２】
本考案の第二の形態は、図６〜図１０に示されるように、バックル付き鉤ホック基体６の内面に設けられた止め弁６４に収縮コイルバネを使用する圧縮バネ３１の右端を嵌合固定し、次いで掛け用隙間３２を設けた鉤片３３を有するホック基板３６を前記鉤ホック基体６の摺動用レール６５に沿って移動させて嵌合するものである。
【００２３】
図６は、バックル付き伸縮調整鉤ホック５の分解状体を示す斜視図であるが、部品として、ウエスト部の内側生地の外面に縫着するバックル付き伸縮調整鉤ホック６と、外側生地の内面に縫着する受止具４とから構成されている。
【００２４】
前記バックル付き伸縮調整鉤ホック５は、図７及び図８に示されるように、バックル付き鉤ホック基体６の内面に設けられた止め弁６４に圧縮バネ３１の右端を嵌合固定し、次いで掛け用隙間３２を設けた鉤片３３を有するホック基板３６を前記バックル付き鉤ホック基体６の摺動用レール６５に沿って移動させて嵌合する。
【００２５】
バックル付き鉤ホック基体６上に嵌合された鉤ホック主体３は、図７及び図９の断面図に示されるように収縮コイルバネ３１の右端が止め弁６４で固定され、一方、収縮コイルバネ３１の左端はホック基板３６の左側面に設けられた突片３４に接する構造となっている。
【００２６】
図１０は、ウエスト部の内側生地Ａの外面にバックル付き伸縮調整鉤ホック５を帯体Ｃに取り付けたあとに縫着し、外側生地Ｂの内面に縫着した受止具４の断面を示す断面図であるが、本実施例では先にバックル付き伸縮調整鉤ホック５を帯体Ｃに取り付けた後に、ウエスト部の内側生地Ａの外面に縫着し、次いで、受止具４を任意の箇所に縫着する。
【００２７】
本実施例のバックル付き伸縮調整鉤ホックは、一旦係止した後は着用者の腹部の膨れ具合に沿ってウエスト部の内側生地Ａ自体も外方向に膨れるために、受止具４の係止部４１を中心に、鉤片３３を介してホック基板３６及び突片３４が右方向に圧縮バネ３１を押しながら移動する他、更に、ウエストをゆっくりしたい場合には、バックル部６３を開放して位置を調節した上で、適当な帯体Ｃの位置でバックル部を閉鎖するとよい。
【図面の簡単な説明】
【００２８】
【図１】本考案の実施例に係る伸縮調整鉤ホックの分解状体を示す斜視図である。
【図２】伸縮調整鉤ホック１の長手方向における拡大断面図である。
【図３】伸縮調整鉤ホック１の使用形態を示す拡大斜視図である。
【図４】図２における部分拡大図である。
【図５】スカートのウエスト部における嵌合前の状態を示す拡大断面図である。
【図６】本考案の第２実施例に係る伸縮調整鉤ホックの分解状体を示す斜視図である。
【図７】伸縮調整鉤ホック１の長手方向における拡大断面図である。
【図８】伸縮調整鉤ホック１の使用形態を示す拡大斜視図である。
【図９】図７における部分拡大図である。
【図１０】スカートのウエスト部における嵌合前の状態を示す拡大断面図である。
【図１１】従来例を示す斜視図である。
【図１２】従来例の使用形態を示す断面図である。
【符号の説明】
【００２９】
１・・・伸縮調整鉤ホック
２・・・鉤ホック基体
２１・・バネ収納用溝
２２・・止め片
２３・・摺動用レール
２４・・取付部
３・・・鉤ホック主体
３１・・圧縮バネ
３２・・掛け用隙間
３３・・鉤片
３４・・突片
３５・・レール覆縁
３６・・ホック基板
４・・・受止具
４１・・係止部
４２・・縫着孔
５・・・バックル付き伸縮調整鉤ホック
６・・・バックル付き鉤ホック主体
６１・・バックル保持部
６２・・バックル固定孔
６３・・バックル部
６４・・止め片
６５・・摺動用レール
６６・・バネ収納用溝
Ａ・・・内側生地
Ｂ・・・外側生地
Ｃ・・・帯体
【図１】
0003129255.tif 000003
【図２】
0003129255.tif 000004
【図３】
0003129255.tif 000005
【図４】
0003129255.tif 000006
【図５】
0003129255.tif 000007
【図６】
0003129255.tif 000008
【図７】
0003129255.tif 000009
【図８】
0003129255.tif 000010
【図９】
0003129255.tif 000011
【図１０】
0003129255.tif 000012
【図１１】
0003129255.tif 000013
【図１２】
0003129255.tif 000014